(57)【要約】【課題】本発明は、容易に組み立てることができ且つフィルターの表面に傷が付くのを防止することができるレンズモジュールの組立装置及びその組立方法を提供することを目的とする。【解決手段】本発明に係るレンズモジュールの組立装置は、レンズモジュールの組み立て工程においてフィルターをレンズに貼り付けるレンズモジュールの組立装置であって、鏡筒を保持する保持部材と、フィルターを収容する収容部材と、容部材内に収容されたフィルターを押し出す押圧部材と、を備える。収容部材は、保持部材内に配設される出口端と、出口端の反対側に位置する入口端と、を有する収容部材本体を備え、押圧部材は、収容部材内のフィルターに当接するように、入口端を通って収容部材の中に挿入され、収容部材内のフィルターを出口端から保持部材で保持された鏡筒内へ押し出すのに用いられる。又、本発明は、レンズモジュールの組立方法にも関する。【選択図】図１
2013130871.tif 000002
【特許請求の範囲】
【請求項１】
少なくとも鏡筒とレンズとフィルターとを備えるレンズモジュールの組み立て工程において前記フィルターを前記レンズに貼り付けるのに用いられるレンズモジュールの組立装置であって、前記鏡筒を保持するための保持部材と、前記フィルターを収容することができる収容部材と、該収容部材内に収容された前記フィルターを押し出すための押圧部材と、を備え、前記収容部材は、前記保持部材内に配設される出口端と、該出口端の反対側に位置する入口端と、有する収容部材本体を備え、前記押圧部材は、前記収容部材内の前記フィルターに当接するように、前記入口端を通って前記収容部材の中に挿入され、前記収容部材内の前記フィルターを前記出口端から前記保持部材で保持された前記鏡筒内へ押し出すのに用いられることを特徴とするレンズモジュールの組立装置。
【請求項２】
前記収容部材は、前記収容部材本体の内側壁に固定される滑り止め層をさらに備えることを特徴とする請求項１に記載のレンズモジュールの組立装置。
【請求項３】
前記滑り止め層の前記出口端に近い方の端部には、前記収容部材内に収容された前記フィルターを係止するためのフックが設けられていることを特徴とする請求項２に記載のレンズモジュールの組立装置。
【請求項４】
請求項１〜３のいずれか一項に記載のレンズモジュールの組立装置を使用してフィルターをレンズに貼り付けるレンズモジュールの組立方法であって、
入口端を通してフィルターを収容部材の中に装填するステップと、押圧部材を前記入口端から前記収容部材の中に挿入してフィルターに当接させるステップと、前記押圧部材を推進させることによって、前記収容部材の中の前記フィルターを出口端から保持部材で保持された鏡筒内へ押し出すステップと、を備えることを特徴とするレンズモジュールの組立方法。
【請求項５】
前記フィルターを前記収容部材の中に装填した後、前記鏡筒の開放端部に最も近いレンズの非光学区域に接着剤を塗布するステップと、前記保持部材によって前記鏡筒を保持するステップと、をさらに備えることを特徴とする請求項４に記載のレンズモジュールの組立方法。
【請求項６】
前記出口端から前記鏡筒内へ押し出されたフィルターは、前記開放端部に最も近いレンズの前記非光学区域に前記接着剤によって接着されることを特徴とする請求項５に記載のレンズモジュールの組立方法。
【請求項７】
前記開放端部に最も近いレンズの前記非光学区域から前記出口端までの距離は、１枚のフィルターの厚さ以上であるとともに２つのフィルターの厚さ未満であることを特徴とする請求項５又は６に記載のレンズモジュールの組立方法。
【発明の詳細な説明】
【技術分野】
【０００１】
本発明は、レンズモジュールの組立装置及び組立方法に関するものである。
【背景技術】
【０００２】
携帯電話のレンズモジュールの組み立て工程は、鏡筒の中にレンズを組み込むステップと、レンズに接着剤を塗布するステップと、レンズにフィルターを貼り付けるステップと、を備える。その中で、フィルターを貼り付けるステップにおいて、金属製のピンセットを使用してフィルターを鏡筒内に押し込みながら平らに整える。この作業により、フィルターの歪みを防止することができる。
【発明の概要】
【発明が解決しようとする課題】
【０００３】
しかしながら、上記した従来の組み立て工程では、レンズモジュールを量産する場合に、フィルターを一枚ずつ取って各鏡筒の中のレンズに貼り付け、そして、各フィルターをピンセットで鏡筒内に押し込みながら平らに整える必要がある。そのため、組み立て速度が遅いという問題がある。また、金属製のピンセットによって何度もフィルターを押圧して平らにするため、ピンセットとフィルターの接触によりそのフィルターの表面が傷付く場合がある。
【０００４】
本発明の目的は、前記課題を解決し、容易に組み立てることができ且つフィルター表面に傷が付くのを防止することができるレンズモジュールの組立装置及び組立方法を提供することである。
【課題を解決するための手段】
【０００５】
本発明に係るレンズモジュールの組立装置は、少なくとも鏡筒とレンズとフィルターとを備えるレンズモジュールの組み立て工程において、前記フィルターを前記レンズに貼り付けるのに用いられる組み立てレンズモジュールの装置であって、前記鏡筒を保持するための保持部材と、前記フィルターを収容することができる収容部材と、該収容部材内に収容された前記フィルターを押し出すための押圧部材と、を備える。前記収容部材は、前記保持部材内に配設される出口端と、該出口端の反対側に位置する入口端と、を有する収容部材本体を備え、前記押圧部材は、前記収容部材内の前記フィルターに当接するように、前記入口端を通って前記収容部材の中に挿入され、前記収容部材内の前記フィルターを前記出口端から前記保持部材で保持された前記鏡筒へ押し出すのに用いられる。
【０００６】
本発明に係るレンズモジュールの組立方法は、レンズモジュールの組立装置を使用してフィルターをレンズに貼り付ける方法である。入口端を通してフィルターを収容部材の中に装填するステップと、押圧部材を前記入口端から前記収容部材の中に挿入してフィルターに当接させるステップと、前記押圧部材を推進させることによって、前記収容部材の中の前記フィルターを出口端から保持部材で保持された鏡筒内へ押し出すステップと、を備える。
【発明の効果】
【０００７】
本発明に係るレンズモジュールの組立装置及び組立方法において、押圧部材を推進すると、フィルターは、押圧部によって収容部から鏡筒内まで押し出される。これにより、組み立て速度が速くなり、且つフィルターの表面にできる傷を防止することができる。
【図面の簡単な説明】
【０００８】
【図１】本発明の実施形態に係るレンズモジュール組立装置を示す断面図である。
【図２】図１に示した本発明の実施形態に係るレンズモジュール組立装置のＩＩ部分の拡大図である。
【図３】本発明の実施形態に係るレンズモジュール組立方法のフローチャート図である。
【発明を実施するための形態】
【０００９】
以下、図面を参照して、本発明の実施形態について説明する。
【００１０】
まず、本発明に係るレンズモジュールの組立装置の実施形態について、図１及び２を参照しながら説明する。
図１に示す、本発明の実施形態に係るレンズモジュール組立装置１００は、レンズモジュール２０の組み立て工程においてフィルター１０をレンズ２２に貼り付けるのに用いられる装置である。
【００１１】
レンズモジュール２０の構成について説明しておくと、図１に示すように、レンズモジュール２０は、鏡筒２１と、少なくとも１つのレンズ２２と、フィルター１０と、を備える。本実施形態において、レンズ２２の数量は三枚である。鏡筒２１は、一端が開放している有底筒状の部材である。詳しく説明すると、鏡筒２１は、筒部２１１と、筒部２１１の他端に設けられた底壁状のカバー部２１２と、を備える。筒部２１１の一端には開放端部２１１０が設けられており、筒部２１１の他端はカバー部２１２で閉じられている。カバー部２１２の中央には通光孔２１２０が設けられている。三枚のレンズ２２は筒部２１１の内側に組み込まれる。フィルター１０は開放端部２１１０に最も近いレンズ２２に固定される。
【００１２】
レンズモジュール組立装置１００は、保持部材１１０と、収容部材１２０と、押圧部材１３０と、を備える。
【００１３】
保持部材１１０は、鏡筒２１を保持するための長筒状の部材であり、内側に中空部１１００を備える。中空部１１００の形状及び寸法は、鏡筒２１を保持することができるように、鏡筒２１の形状及び寸法に対応している。
【００１４】
収容部材１２０は、複数のフィルター１０を収容することができる部材である。この収容部材１２０は、両端が開放された直筒状の収容部材本体１２１と、収容部材本体１２１の内周面に設けられた滑り止め層１２２と、を備える。収容部材本体１２１は、保持部材１１０の中空部１１００に配設される出口端１２１０と、該出口端１２１０の反対側に位置する入口端１２１２と、を備えており、収容部材本体１２１の内部空間は、出口端１２１０を介して保持部材１１０の中空部１１００に連通されている。本実施形態において、収容部材本体１２１と保持部材１１０とは一体成形されて単一の部品となっている。滑り止め層１２２は収容部材本体１２１の内側壁１２２０に固定される。本実施形態において、滑り止め層１２２はゴム材料からなるため、フィルター１０と収容部材本体１２１との間の摩擦力を増加させることができる。図２に示すように、滑り止め層１２２のうち、出口端１２１０に近い方の端部には、収容部材１２０の内方側に突出したフック１２３が設けられている。フック１２３は、収容部材１２０内のフィルター１０が外力（出口端１２１０側への押圧力）を受けない限り、フィルター１０が収容部１２１から落下するのを防止するように、複数のフィルター１０を係止する機能がある。
【００１５】
図１に示すように、押圧部材１３０は、収容部材１２０内に収容された複数のフィルター１０を一枚ずつ出口端１２１０から保持部材１１０側（レンズ２２側）へ押し出すための部材である。この押圧部材１３０は、収容部材１２０の中に位置する押圧部１３１と、収容部材１２０の外に位置する操作部１３２と、押圧部１３１と操作部１３２とを接続する接続部１３３と、を備える。押圧部１３１は、フィルター１０に当接してフィルター１０を押圧する部分であり、押圧部１３１の外径は収容部材１２０の内径よりやや小さい又は等しくなっており、押圧部１３１の外周面は滑り止め層１２２の表面に密接している。押圧部材１３０は入口端１２１２を通って収容部材１２０の中に挿入されて、押圧部１３１が収容部材１２０内に収容された複数のフィルター１０のうち、入口端１２１２に最も近いフィルター１０に当接される。
【００１６】
次に、本発明に係るレンズモジュールの組立方法の実施形態について、図３を参照しながら説明する。
図３に示すレンズモジュールの組立方法は、上述したレンズモジュール組立装置１００を使用してレンズモジュール２０の組み立て工程においてフィルター１０をレンズ２２に貼り付ける方法であり、この組み立て方法は、以下のステップを含む。
【００１７】
ステップ１：収容部材１２０の中に複数のフィルター１０を収容させる。
【００１８】
複数のフィルター１０は入口端１２１２を通って収容部材１２０の中に装填される。この際、複数のフィルター１０のうちの最も出口端１２１０側のフィルター１０がフック１２３によって係止されるため、複数のフィルター１０は、外力を受けない限り、収容部材１２０の中から落下しない。
【００１９】
ステップ２：開放端部２１１０に最も近いレンズ２２の非光学区域に接着剤を塗布する。非光学区域とは、通光孔２１２０を通過する光が通過しない区域であり、図１に示すレンズ２２の平坦な外周部分を指す。
【００２０】
ステップ３：保持部材１１０で鏡筒２１を保持する。なお、この鏡筒２１の中には、予め複数のレンズ２２が組み込まれている。
【００２１】
ステップ４：入口端１２１２から押圧部材１３０を収容部材１２０の中に挿入して、押圧部１３１を複数のフィルター１０のうち最も入口端１２１２側のフィルター１０に当接させる。
【００２２】
ステップ５：操作部１３２を操作して押圧部材１３０を出口端１２１０側に向けて推進させて、押圧部１３１を介して最も入口端１２１２側のフィルター１０を押圧して複数のフィルター１０を出口端１２１０側へ移動させ、収容部材１２０の中の複数のフィルター１０のうち最も出口端１２１０側のフィルター１０を出口端１２１０から鏡筒２１内へ押し出す。この際、押し出されたフィルター１０は、開放端部２１１０に最も近いレンズ２２の非光学区域に押し付けられて上記した接着剤によって接着される。
【００２３】
本実施形態において、レンズモジュール２０の開放端部２１１０に最も近いレンズ２２（の上面）の非光学区域から出口端１２１０までの距離は、１枚のフィルター１０の厚さ以上であるとともに、２枚のフィルター１０の厚さ（つまり、１枚のフィルター１０の厚さの２倍）未満であるため、一度に２枚のフィルター１０が押し出されることが防止される。
【００２４】
本発明は、操作部１３２を操作して押圧部材１３０を推進させると、最も入口端１２１２側のフィルター１０が押圧部１３１によって押圧され、収容部材１２０内にある最も出口端１２１０側のフィルター１０が出口端１２１０から鏡筒２１内へ押し出される。これにより、レンズモジュール２０を量産する際に、フィルター１０を一枚ずつ取って貼り付ける必要がないので、組み立て速度は速くなり、且つフィルター１０の表面に傷が付くのを防止することができる。
【００２５】
以上、本発明を実施形態に基づいて具体的に説明したが、本発明は、上述の実施形態に限定されるものではなく、その要旨を逸脱しない範囲において、種々の変更が可能であることは勿論であって、本発明の保護範囲は、以下の特許請求の範囲から決まる。
【符号の説明】
【００２６】
１０  フィルター
２０  レンズモジュール
２１  鏡筒
２２  レンズ
１００  レンズモジュールの組立装置
１１０  保持部材
１２０  収容部材
１２１  収容部材本体
１２２  滑り止め層
１２３  フック
１３０  押圧部材
１３１  押圧部
１３２  操作部
１３３  接続部
２１１  筒部
２１２  カバー
１１００  中空部
１２２０  内側壁
１２１０  出口端
１２１２  入口端
２１１０  開放端部
２１２０  通光孔
【図１】
2013130871.tif 000003
【図２】
2013130871.tif 000004
【図３】
2013130871.tif 000005